(57)【要約】  周波数チャネル内にアナログ放送信号の搬送波及び／又はデジタル放送信号の搬送波が所定の周波数オフセット及び信号強度で配置された信号フォーマットにより伝送される放送信号を受信するのに適した放送受信機であって、シーク中の周波数チャネルに関する、搬送波の受信強度の情報および周波数オフセットの情報を取得する情報取得手段と、前記情報取得手段によって取得された少なくとも１つの情報に基づいて当該周波数チャネルが有局であるか否かを判断する有局判断手段と、を備えることを特徴とする放送受信機。
2008026694.tif 000002
【特許請求の範囲】
【請求項１】
周波数チャネル内に搬送波が所定の周波数オフセット及び信号強度で配置された信号フォーマットにより伝送される放送信号を受信するのに適した放送受信機であって、
シーク中の周波数チャネルに関する情報を取得する情報取得手段と、
前記情報取得手段によって取得された情報に基づいて当該周波数チャネルが有局であるか否かを判断する有局判断手段と、
を備え、
前記情報取得手段は、搬送波の受信強度の情報および周波数オフセットの情報を取得することを特徴とする放送受信機。
【請求項２】
周波数チャネル内にデジタル放送信号の搬送波が所定の周波数オフセット及び信号強度で配置された信号フォーマットにより伝送される放送信号を受信可能であることを特徴とする請求項１に記載の放送受信機。
【請求項３】
周波数チャネル内に、アナログ放送信号の搬送波のみ、又は、アナログ放送信号の搬送波及びデジタル放送信号の搬送波が、所定の周波数オフセット及び信号強度で配置された信号フォーマットにより伝送される放送信号を受信可能であることを特徴とする請求項１に記載の放送受信機。
【請求項４】
前記デジタル放送信号は直交周波数分割多重方式（ＯＦＤＭ）によって伝送され、前記デジタル放送信号の搬送波はサブキャリアであることを特徴とする請求項２又は３に記載の放送受信機。
【請求項５】
前記情報取得手段は、更に隣接妨害の情報およびマルチパスノイズの情報の少なくとも１つを取得することを特徴とする請求項１から請求項４の何れかに記載の放送受信機。
【請求項６】
前記情報取得手段によって取得された情報に基づいて、当該周波数チャネルにアナログ放送信号の搬送波が含まれているか否かを判断するアナログ判断手段と、
を更に備えることを特徴とする請求項１から請求項５の何れかに記載の放送受信機。
【請求項７】
前記情報取得手段によって取得された情報に基づいて、当該周波数チャネルにデジタル放送信号の搬送波が含まれているか否かを判断するデジタル判断手段と、
を更に備えることを特徴とする請求項１から請求項６の何れかに記載の放送受信機。
【請求項８】
前記情報取得手段によって取得された周波数オフセットの情報に基づいて当該周波数チャネルに含まれる搬送波の周波数オフセットの最大値と最小値の差分を算出する差分算出手段と、
当該周波数チャネルにおいて、当該デジタル放送信号の搬送波のみを含む信号フォーマットであるオールデジタルフォーマットによる放送信号が伝送されているか否かを判断するオールデジタル判断手段と、
を更に備え、
前記オールデジタル判断手段は、前記有局判断手段によって当該周波数チャネルが有局であると判断され、かつ、前記アナログ判断手段によって当該周波数チャネルにアナログ放送信号の搬送波が含まれていないと判断され、かつ、前記差分算出手段によって算出された差分が所定値以上である場合に、当該周波数チャネルにおいてオールデジタルフォーマットによる放送信号が伝送されていると判断することを特徴とする請求項６又は７に記載の放送受信機。
【請求項９】
前記差分算出手段は、前記有局判断手段によって当該周波数チャネルが有局であると判断され、かつ、前記アナログ判断手段によって当該周波数チャネルにアナログ放送信号の搬送波が含まれていないと判断されたときに、差分の算出を実行することを特徴とする請求項８に記載の放送受信機。
【請求項１０】
当該デジタル放送信号を復号する復号手段と、
前記復号手段による復号処理の結果に基づいて、当該周波数チャネルにおいて当該オールデジタルフォーマットによる放送信号が伝送されていることを確定するオールデジタル確定手段と、
を更に有し、
チャネルシークにおいては、前記オールデジタル判断手段が当該周波数チャネルにおいてオールデジタルフォーマットによる放送信号が伝送されていると判断されたときにのみ前記復号手段による復号処理が行われることを特徴とする請求項８又は請求項９に記載の放送受信機。
【請求項１１】
当該放送信号はラジオ放送信号であることを特徴とする請求項１から請求項１０の何れかに記載の放送受信機。
【請求項１２】
当該信号フォーマットはＩＢＯＣ方式の信号フォーマットであることを特徴とする請求項１から請求項１１の何れかに記載の放送受信機。
【請求項１３】
移動体に取り付け可能であることを特徴とする請求項１から請求項１２の何れかに記載の放送受信機。
【請求項１４】
周波数チャネル内にアナログ放送信号の搬送波及び／又はデジタル放送信号の搬送波が所定の周波数オフセット及び信号強度で配置された信号フォーマットの放送信号が伝送される周波数チャネルに対してチャネルシークを行う方法であって、
シーク中の周波数チャネルに関する情報を取得する情報取得ステップと、
前記情報取得ステップによって取得された情報に基づいて当該周波数チャネルが有局であるか否かを判断する有局判断ステップと、
を含み、
前記情報取得ステップにおいて搬送波の受信強度の情報および周波数オフセットの情報が取得されることを特徴とするチャネルシーク方法。
【請求項１５】
前記情報取得ステップにおいて、隣接妨害の情報およびマルチパスノイズの情報の少なくとも１つが取得されることを特徴とする請求項１４に記載のチャネルシーク方法。
【請求項１６】
前記情報取得ステップにおいて取得された情報に基づいて当該周波数チャネルにアナログ放送信号の搬送波が含まれているか否かを判断するアナログ判断ステップと、
を更に含むことを特徴とする請求項１４又は請求項１５に記載のチャネルシーク方法。
【請求項１７】
前記情報取得ステップにおいて取得された情報に基づいて当該周波数チャネルにデジタル放送信号の搬送波が含まれているか否かを判断するデジタル判断ステップと、
を更に含むことを特徴とする請求項１４から請求項１５のいずれかに記載のチャネルシーク方法。
【請求項１８】
前記情報取得ステップにおいて取得された周波数オフセットの情報に基づいて当該周波数チャネルに含まれる搬送波の周波数オフセットの最大値と最小値の差分を算出する差分算出ステップと、
当該周波数チャネルにおいて当該デジタル放送信号の搬送波のみを含む信号フォーマットであるオールデジタルフォーマットによる放送信号が伝送されているか否かを判断するオールデジタル判断ステップと、
を更に含み、
前記オールデジタル判断ステップは、前記有局判断ステップにおいて当該周波数チャネルが有局であると判断され、かつ、前記アナログ判断ステップにおいて当該周波数チャネルにアナログ放送信号の搬送波が含まれていないと判断され、かつ、前記差分算出ステップによって算出された差分が所定値以上である場合に、当該周波数チャネルにおいてオールデジタルフォーマットによる放送信号が伝送されていると判断することを特徴とする請求項１６又は請求項１７に記載のチャネルシーク方法。
【請求項１９】
前記差分算出ステップは、前記有局判断ステップにおいて当該周波数チャネルが有局であると判断され、かつ、前記アナログ判断ステップにおいて当該周波数チャネルにアナログ放送信号の搬送波が含まれていないと判断されたときに実行されることを特徴とする請求項１８に記載のチャネルシーク方法。
【請求項２０】
当該デジタル放送信号を復号する復号ステップと、
前記復号ステップによる復号処理の結果に基づいて、当該周波数チャネルにおいてオールデジタルフォーマットによる放送信号が伝送されていることを確定するオールデジタル確定ステップと、
を更に有し、
前記オールデジタル判断ステップが当該周波数チャネルにおいてオールデジタルフォーマットによる放送信号が伝送されていると判断したときにのみ前記復号ステップによる復号処理が行われることを特徴とする請求項１８又は１９に記載のチャネルシーク方法。
【請求項２１】
当該放送信号はラジオ放送信号であることを特徴とする請求項１４から請求項２０の何れかに記載のチャネルシーク方法。
【請求項２２】
当該信号フォーマットはＩＢＯＣ方式の信号フォーマットであることを特徴とする請求項１４から請求項２１の何れかに記載のチャネルシーク方法。
【発明の詳細な説明】
【技術分野】
【０００１】
本発明は、放送受信機及び放送チャネルシーク方法に関連し、より具体的には、デジタル放送、アナログ放送、及びデジタル／アナログハイブリッド放送の受信に適した放送受信機及びその放送チャネルシーク方法に関する。
【背景技術】
【０００２】
近年、音響機器や映像機器等において音声や映像をデジタル形式で処理／管理することが一般化している。このような音響機器等における音声や映像のデジタル符号化の趨勢はラジオ放送の分野にも波及している。例えば米国では、ＩＢＯＣ（In Band On Channel）と呼ばれるデジタルラジオ放送方式がｉＢｉｑｕｉｔｙ（アイビクイティ）社によって提案され、実用化されている。【０００３】
ところで、従来のアナログラジオ放送は、各放送局に割り当てられた周波数帯域（以下、「チャネル」あるいは「周波数チャネル」という）内に周波数分布をもつ搬送波（以下、「アナログ搬送波」という）によって放送される。実際には、隣接するチャネルのアナログ搬送波同士の干渉を避けるために、割り当てられた帯域のうち中心部分のみがアナログ搬送波の伝送に使用され、それ以外の部分は使用されていない。【０００４】
ＩＢＯＣ方式は、従来のアナログラジオ放送に割り当てられた周波数チャネルを使用してデジタルラジオ放送を行う方式である。ＩＢＯＣ方式には、既存のアナログラジオ放送の信号にデジタルラジオ放送の信号を重畳させたハイブリッドフォーマットや、デジタル信号のみからなるオールデジタルフォーマットなど、複数の信号フォーマットが規定されており、既存のアナログラジオ放送から多機能・高品位なオールデジタルラジオ放送へと段階的に移行できるようにデザインされている。また、ＩＢＯＣ方式では、多数の搬送波（サブキャリア）を使用する直交周波数分割多重（ＯＦＤＭ）方式によってデジタル放送信号が伝送される。【０００５】
ＩＢＯＣ方式では、アナログ放送からオールデジタル放送への過渡期において、ハイブリッドフォーマットという信号フォーマットが利用される。ハイブリッドフォーマットでは、アナログ搬送波が使用する帯域中心部分に隣接する従来使用されていなかった周波数帯（以下、「サイドバンド」という）にデジタル放送のサブキャリアが配置される。すなわちＩＢＯＣ方式のハイブリッドフォーマットによれば、既存のアナログラジオ放送に割り当てられた周波数帯を有効に活用して、アナログラジオ放送とデジタルラジオ放送が同一チャネルを使用して同時に伝送される。【０００６】
このようなＩＢＯＣ方式のデジタルラジオ放送を受信可能なＩＢＯＣ放送受信機が、例えば特開２００５−１９１８５０号公報（以下、「参考文献」という）に開示されている。当該参考文献に記載のＩＢＯＣ放送受信機は、受信可能なチャネルをシークするオートシーク機能を備えている。【０００７】
当該ＩＢＯＣ放送受信機は、所定のユーザ・オペレーション（例えば、操作部に備えられた「チューニングアップ」又は「チューニングダウン」ボタンを一回押し下げる等）が行われるとチャネルシーク動作を開始して、シーク対象のチャネルの受信強度を検出する。第１のシークモードに設定されている場合、検出した受信強度が所定値よりも高ければＩＢＯＣ放送受信機は当該チャネルを有局と判断して、当該チャネルを選局してチャネルシーク動作を停止する。また、第２のシークモードに設定されている場合、当該放送受信機はチャネルシーク動作と並行してデジタル放送信号の復号処理を実行する。次いで、その処理結果を参照して、当該チャネルでデジタルラジオ放送が行われているか否かを判定する。そして、デジタルラジオ放送が行われていると判定した場合に限り、当該チャネルを選局してチャネルシーク動作を停止する。これにより、デジタルラジオ放送が再生されることとなる。
【発明の開示】
【０００８】
しかしながら、ここでの復号および判定処理は、デジタル放送信号を含むチャネルだけでなく、アナログ放送信号のみを含むチャネルや、実際には無局であるが強いノイズが存在するために誤って有局と判断されたチャネル等、デジタル放送が行われていないチャネルに対しても実行される。デジタル放送に対する復号処理は時間を要する処理であるため、このような放送受信機ではチャネルシーク動作に長い時間が掛かるという問題点があった。また、このような放送受信機においては、信号強度の強いアナログ放送信号の搬送波の有無によってのみ有局判断を行うようにすれば、比較的に簡単な構成で有局判断を行うことが可能である。しかしながら、このようにアナログ放送信号の搬送波の有無のみで有局判断を行うと、搬送波の強度が弱いオールデジタルフォーマットによって放送が行われる周波数チャネルは有局でないと判断されてしまうという問題もある。
【０００９】
本発明は、上記の事情に鑑みて、チャネルシーク動作に掛かる時間を軽減することが可能な放送受信機、および放送シーク方法を提供することを課題としている。
【００１０】
本発明の実施形態により、周波数チャネル内にアナログ放送信号の搬送波及び／又はデジタル放送信号の搬送波が所定の周波数オフセット及び信号強度で配置された信号フォーマットにより伝送される放送信号を受信するのに適した放送受信機であって、シーク中の周波数チャネルに関する情報を取得する情報取得手段と、前記情報取得手段によって取得された情報に基づいて当該周波数チャネルが有局であるか否かを判断する有局判断手段を備えた放送受信機が提供される。前記情報取得手段は、搬送波の受信強度および周波数オフセットの情報を取得し、更に隣接妨害の情報およびマルチパスノイズの情報の少なくとも１つを取得してもよい。
【００１１】
このような構成により、デジタル放送信号の復号を行う前に、受信可能なデジタル放送が行われているか否かを判断するために必要な情報を取得することができる。このため、シーク中の周波数チャネルにおいてデジタル放送が行われている可能性が高いときにのみ、デジタル放送信号の復号処理を行うことができる。時間の掛かる上記復号処理をデジタル放送が行われていないチャネルに対して実行しないよう動作することで、チャネルシーク動作に掛かる時間の短縮を実現可能としている。また、搬送波の受信強度と周波数オフセットの情報を取得するため、これらの関係からデジタル放送信号のサブキャリアの有無を判断することが可能となり、オールデジタルフォーマットによる放送信号も確実に有局と判断することができる。
【００１２】
付加的に、当該放送受信機は、前記情報取得手段によって取得された情報に基づいて当該周波数チャネルにアナログ放送信号の搬送波が含まれているか否かを判断するアナログ判断手段を備えていてもよい。
【００１３】
この構成により、当該周波数チャネルにおいてオールデジタルフォーマットによる放送信号の伝送が行われているか否かを判断するのに役立つ重要な情報である、アナログ放送信号の搬送波の有無を判断することが可能になる。
【００１４】
付加的に、当該放送受信機は、前記情報取得手段によって取得された情報に基づいて当該周波数チャネルにデジタル放送信号の搬送波が含まれているか否かを判断するデジタル判断手段を備えていてもよい。
【００１５】
この構成により、処理に時間を要するデジタル放送信号の復号を行わなくても、当該周波数チャネルにおいてデジタル放送が行われているか否かを判断することができる。
【００１６】
更に、当該放送受信機は、前記情報取得手段によって取得された周波数オフセットの情報に基づいて当該周波数チャネルに含まれる搬送波の周波数オフセットの最大値と最小値の差分を算出する差分算出手段と、当該周波数チャネルにおいて、当該デジタル放送信号の搬送波のみを含む信号フォーマットであるオールデジタルフォーマットによる放送信号が伝送されているか否かを判断するオールデジタル判断手段とを備えていてもよい。この場合において、前記オールデジタル判断手段は、前記有局判断手段によって当該周波数チャネルが有局であると判断され、かつ、前記アナログ判断手段によって当該周波数チャネルにアナログ放送信号の搬送波が含まれていないと判断され、かつ、前記差分算出手段によって算出された差分が所定値以上である場合に、当該周波数チャネルにおいてオールデジタルフォーマットによる放送信号が伝送されていると判断し得る。また、前記差分算出手段は、前記有局判断手段によって当該周波数チャネルが有局であると判断され、かつ、前記アナログ判断手段によって当該周波数チャネルにアナログ放送信号の搬送波が含まれていないと判断されたときに、差分の算出を実行してもよい。
【００１７】
この構成により、デジタル放送信号の復号を行う前に、デジタル放送信号の有無だけでなく、アナログ信号とデジタル信号が並存するハイブリッドフォーマットによる放送とオールデジタルフォーマットによる放送との判別も可能になる。
【００１８】
更に、当該放送受信機は、当該デジタル放送信号を復号する復号手段と、前記復号手段による復号処理の結果に基づいて、当該周波数チャネルにおいて当該オールデジタルフォーマットによる放送信号が伝送されていることを確定するオールデジタル確定手段とを備えていてもよい。この場合において、チャネルシーク時には、前記オールデジタル判断手段が当該周波数チャネルにおいてオールデジタルフォーマットによる放送信号が伝送されていると判断したときにのみ前記復号手段による復号処理が行われ得る。
【００１９】
この構成による受信機は、処理に要する時間が長いためスムーズなチャネルシーク動作の妨げになるデジタル信号の復号処理を、チャネルシークにおいては復号処理が不可欠なオールデジタルフォーマットによる放送信号の伝送が行われていると予め判断された周波数チャネルに限って行う。このため、淀みないチャネルシークが可能になる。また、オールデジタルフォーマットの場合にアナログ復調を行って不快なデジタルノイズを音声出力することもなく、快適にチャネルシークが実現される。
【００２０】
また、本発明の実施形態により、周波数チャネル内にアナログ放送信号の搬送波及び／又はデジタル放送信号の搬送波が所定の周波数オフセット及び信号強度で配置された信号フォーマットによる放送信号が伝送されている周波数チャネルに対してチャネルシークを行う方法であって、シーク中の周波数チャネルに関する、搬送波の受信強度の情報、周波数オフセットの情報を取得する情報取得ステップと、前記情報取得ステップによって取得された少なくとも１つの情報に基づいて当該周波数チャネルが有局であるか否かを判断する有局判断ステップを含むチャネルシーク方法が提供される。
【図面の簡単な説明】
【００２１】
【図１】本発明の実施形態によるＩＢＯＣ放送受信機を備えたオーディオ装置の構成を示したブロック図である。
【図２】本発明の実施形態によるオーディオ装置で実行されるチャネルシーク処理を示したフローチャートである。
【図３】本発明の実施形態によるオーディオ装置で実行されるチャネルシーク処理を示したフローチャートである。
【図４】本発明の実施形態によるオーディオ装置で実行されるチャネルシーク処理を示したフローチャートである。
【図５】本発明の実施形態によるオーディオ装置で実行されるチャネルシーク処理を示したフローチャートである。
【図６】本発明の実施形態によるオーディオ装置で実行されるチャネルシーク処理を示したフローチャートである。
【発明を実施するための最良の形態】
【００２２】
以下、図面を参照して、本発明の実施の形態のＩＢＯＣ放送受信機について説明する。【００２３】
図１は、本発明の実施の形態のＩＢＯＣ放送受信機を備えたオーディオ装置１００の構成を示したブロック図である。オーディオ装置１００は、例えば移動体である車両に取り付けられている。オーディオ装置１００はＩＢＯＣ方式のラジオ放送に対応したものであり、当該方式の信号フォーマットによる放送信号を受信して処理するよう設計されている。【００２４】
オーディオ装置１００は、アンテナ１、チューナ２、ＩＦ（Intermediate Frequency）アンプ６、セパレータＳＥＰ、ＩＦフィルタ７、Ａ／Ｄコンバータ８、ＤＳＰ（Digital Signal Processor）９、オーディオ処理回路１０、Ｄ／Ａコンバータ１１、パワーアンプ１２、スピーカ１３、ＰＬＬ（Phase Locked Loop）回路１４、マイクロコンピュータ１５、ＩＤＭ（IBOC Digital Module）１６、受光部１７、およびリモート・コントローラ（以下、「リモコン」と記す）１８を備える。【００２５】
リモコン１８にはオーディオ装置１００を操作するための操作キーが設けられている。ユーザがリモコン１８を操作すると、その操作に応じた制御パルスがリモコン１８から出力される。このとき出力される制御パルスは、例えばＩｒＤＡ規格に準拠した信号である。受光部１７は、リモコン１８が出力したこの制御パルスを受信すると、それをマイクロコンピュータ１５に渡す。【００２６】
マイクロコンピュータ１５は、オーディオ装置１００全体の統括的な制御を司る。マイクロコンピュータ１５には様々な制御プログラムが実装されており、受光部１７から受け取った制御パルスに基づいてそれらの制御プログラムを実行して、オーディオ装置１００内の各構成要素を制御する。【００２７】
ここで、オーディオ装置１００における一連の信号処理について説明する。アンテナ１は、ラジオ放送の各チャネルのＲＦ（Radio Frequency）信号を受信する。アンテナ１で受信された各ＲＦ信号はチューナ２に入力される。【００２８】
チューナ２は、マイクロコンピュータ１５によるＰＬＬ回路１４を介した制御により、入力された各ＲＦ信号の中から選局するチャネルのＲＦ信号を選択して、フィルタリング等の信号処理に適した中間周波数への周波数変換を行う。ＲＦ信号の周波数変換によって得られたＩＦ信号は、次にＩＦアンプ６に入力される。なお、上記の選局チャネルは、例えばユーザ・オペレーションによる選局操作に従って決定される。また、最後に選局されたチャネル（以下、「ラストチャネル」と記す）の情報は、例えばマイクロコンピュータ１５の内部メモリ又は図示しないフラッシュＲＯＭ等に保存される。【００２９】
ＩＦアンプ６は、入力されたＩＦ信号を増幅してセパレータＳＥＰに出力する。セパレータＳＥＰは、例えばその周波数に基づいて、入力されたＩＦ信号を２つの信号成分に分離する。分離される成分の１つは、アナログ搬送波をＩＦ信号に変換することで得られる信号成分（以下、「アナログＩＦ信号」と記す）であり、もう１つは、サイドバンドのサブキャリアをＩＦ信号に変換することで得られた信号成分（以下、「デジタルＩＦ信号」と記す）である。セパレータＳＥＰは、分離したアナログＩＦ信号、デジタルＩＦ信号のそれぞれをＩＦフィルタ７、Ａ／Ｄコンバータ８に出力する。【００３０】
なお、選局チャネルでアナログラジオ放送だけが伝送されている場合、セパレータＳＥＰには実質的にアナログＩＦ信号だけが入力されることになる。従って、セパレータＳＥＰで分離処理が行われてもデジタルＩＦ信号は得られない。逆に、選局チャネルでデジタルラジオ放送だけが伝送される場合、セパレータＳＥＰには実質的にデジタルＩＦ信号だけが入力されることになる。従って、セパレータＳＥＰで分離処理が行われてもアナログＩＦ信号は得られない。【００３１】
ＩＦフィルタ７は、入力されるアナログＩＦ信号から不要な周波数成分を除去するフィルタリング処理を行って、処理したアナログＩＦ信号をＡ／Ｄコンバータ８に出力する。Ａ／Ｄコンバータ８は、アナログＩＦ信号用とデジタルＩＦ信号用に別々のＡ／Ｄ変換処理回路を備えている。そして、入力されたアナログ及びデジタルＩＦ信号をそれぞれに対応したＡ／Ｄ変換処理回路によってＡ／Ｄ変換して、ＤＳＰ９に出力する。なお、ＩＦアンプ６のゲインは、Ａ／Ｄコンバータ８に入力されるＩＦ信号のレベルに基づいたフィードバック制御によって調整される。【００３２】
ＤＳＰ９は、例えば周波数に基づいて、入力されたＩＦ信号を２つの信号成分（アナログＩＦ信号とデジタルＩＦ信号）に分離するセパレータを備えている。また、ＤＳＰ９は、分離されたアナログＩＦ信号を復調するための検波回路、ノイズキャンセラー、および弱電界処理回路を備えている。【００３３】
ＤＳＰ９は、分離したアナログＩＦ信号を検波回路に出力すると共に、デジタルＩＦ信号をＩＤＭ１６に出力する。【００３４】
アナログＩＦ信号は、検波回路によってオーディオ信号に復調され、次いで、ノイズキャンセラーによってノイズが除去される。ノイズ除去後、信号には弱電界処理回路によって選局チャネルの受信状態に応じた処理（ミュート、ハイカット、セパレーション制御等）が施される。そしてＤＳＰ９は、これら一連の処理が施された信号をアナログオーディオ信号としてオーディオ処理回路１０に出力する。【００３５】
なお、ＤＳＰ９は、後述のチャネルシーク処理の実行中には、セパレータによる分離処理を行わない。従って、入力されたＩＦ信号は分離されないまま検波処理、ノイズ除去、弱電界処理回路による処理が施される。この一連の処理を通して、チェックするチャネルの品質情報が取得される。この品質情報には、チェックするチャネルの各搬送波の受信強度、チャネルの中心周波数からのオフセット値（以下、「周波数オフセット」と記す）、マルチパスノイズを示す情報（以下、「ＭＰＮ」という）、隣接チャネルの信号に由来するノイズである隣接妨害を示す情報（以下、「ＵＳＮ」という）等が含まれる。得られた品質情報はマイクロコンピュータ１５に渡される。【００３６】
ＩＤＭ１６は、ＩＢＯＣ方式専用のデジタル放送信号の復号器である。ＩＤＭ１６は、ＤＳＰ９からのデジタルＩＦ信号に対して周知のデコード処理を行ってオーディオ信号を得る。そして、得られたオーディオ信号をオーディオ処理回路１０に出力する。なお、説明の便宜上、ＩＤＭ１６の処理を経て出力されるオーディオ信号を「デジタルオーディオ信号」と記す。【００３７】
次いで、オーディオ処理回路１０が、入力されたオーディオ信号に所定の処理を施し、ボリューム調整を行った後に、Ｄ／Ａコンバータ１１に入力する。【００３８】
Ｄ／Ａコンバータ１１は、入力されたオーディオ信号をＤ／Ａ変換してパワーアンプ１２に出力する。パワーアンプ１２はオーディオ信号を増幅してスピーカ１３に出力する。これにより、ラジオ放送がスピーカ１３から出力再生される。なお、オーディオ処理回路１０には、入力されたアナログオーディオ信号とデジタルオーディオ信号をスムーズに切り替えて出力するブレンド回路が実装されている。ブレンド回路により、出力信号がアナログオーディオ信号からデジタルオーディオ信号（又はデジタルオーディオ信号からアナログオーディオ信号）に切り替えられたとき、ユーザにその切り替わりを感じさせないほど自然につながった音声がスピーカ１３から出力される。【００３９】
次に、本実施形態のオーディオ装置１００におけるチャネルシーク処理について説明する。図２から図６は、オーディオ装置１００が実行するチャネルシーク処理を説明するフローチャートである。なお、図２から図６で説明されるチャネルシーク処理は、例えばオーディオ装置１００が何れかのチャネルを選局している状態において、ユーザがチューニングアップ（又はチューニングダウン）の操作（例えば「チューニングアップ」や「チューニングダウン」ボタンを一回押し下げる等）を行ったときに開始される。【００４０】
本実施形態のチャネルシーク処理が開始されると、マイクロコンピュータ１５は、ユーザ・オペレーションに応じた方向（アップ又はダウン方向）のチャネルシーク動作を行う（ステップ１、以下、明細書および図面においてステップを「Ｓ」と略記）。すなわちシークする周波数帯を上げて（又は下げて）、次の選局候補のチャネルを検索する。【００４１】
次にマイクロコンピュータ１５は各チャネルに関するパラメータを初期化する（Ｓ２）。ここで初期化されるパラメータには、「アナログＮＧフラグ」、「デジタルＮＧフラグ」、「最大周波数オフセット」、「最小周波数オフセット」が含まれる。【００４２】
「アナログＮＧフラグ」とは、アナログラジオ放送の受信可否を示す情報である。また「デジタルＮＧフラグ」とは、デジタルラジオ放送の受信可否を示す情報である。これらのフラグにおいて、フラグ値「０」は、そのフラグに対応する放送を受信できる可能性があることを意味し、また、フラグ値「１」は、そのフラグに対応する放送を受信できないことを意味する。【００４３】
「最大周波数オフセット」は、ＤＳＰ９で得られる周波数オフセットの中で、そのオフセット値が最も大きいものの値を示す。また「最小周波数オフセット」は、ＤＳＰ９で得られる周波数オフセットの中でそのオフセット値が最も小さいものの値を示す。なお周波数オフセットとは、振幅が所定の基準以上である各搬送波の周波数と、そのチャネルの中心周波数との差を示すパラメータである。Ｓ２の処理において、マイクロコンピュータ１５は各周波数オフセットを「０」に設定する。【００４４】
なお、シークされた周波数帯がデジタルラジオ放送を行っているチャネルの場合、ＤＳＰ９では複数の周波数オフセットが得られる。この場合、これらの周波数オフセットは、デジタルラジオ放送の各サブキャリアのオフセット値を示す。そしてシークされた周波数帯の中心からプラス側（周波数が高くなる方向）に最も離れたサブキャリアのオフセット値が「最大周波数オフセット」となる。また、当該中心からマイナス側（周波数が低くなる方向）に最も離れたサブキャリアのオフセット値が「最小周波数オフセット」となる。【００４５】
マイクロコンピュータ１５はＳ２の処理に次いで、内蔵されたカウンタのカウント値Ｍを「３」に設定する（Ｓ３）。更に、別の内蔵カウンタのカウント値Ｎを「５」に設定する（Ｓ４）。これらのカウント値を設定後、マイクロコンピュータ１５は、シークされた周波数帯に対する処理によって得られた品質情報をＤＳＰ９から受け取って内部メモリに保持する（Ｓ５）。なおマイクロコンピュータ１５は、Ｓ５の処理が実行されて品質情報が取得される度にそれを内部メモリに蓄積する。すなわち例えばＳ５の処理が二回実施されると、一回目と二回目のＳ５の処理で取得された品質情報が内部メモリに保持されることになる。以下、説明の便宜上、Ｓ５の処理で取得された品質情報を「取得品質情報」と記す。【００４６】
マイクロコンピュータ１５はＳ５の処理に次いで、取得品質情報に含まれる周波数オフセットの最大値を「最大周波数オフセット」として保持し、当該最小値を「最小周波数オフセット」として保持する（Ｓ６）。なお、Ｓ６の処理の実施が二回目以降である場合、「最大周波数オフセット」および「最小周波数オフセット」には、対応する値が既に保持されている。この場合、新たに取得された周波数オフセットと、保持されている周波数オフセットとを比較する。そして、新たに取得された値が最も大きければ「最大周波数オフセット」を更新し、最も小さければ「最小周波数オフセット」を更新する。【００４７】
マイクロコンピュータ１５は、Ｓ６の処理に次いで、取得品質情報に含まれる受信強度が予め設定されたアナログラジオ放送の受信強度に対する閾値（以下、「アナログ受信強度用閾値」と記す）以上の値であるか否かを判定する（Ｓ７）。ここで、受信強度がアナログ受信強度用閾値以上と判定されるとき（Ｓ７：ＹＥＳ）、マイクロコンピュータ１５は、受信強度が十分に高くアナログラジオ放送を受信できるものと判断して、Ｓ９の処理に進む。また、受信強度がアナログ受信強度用閾値より低いと判定されるときには（Ｓ７：ＮＯ）、マイクロコンピュータ１５は、受信強度が低くアナログラジオ放送を受信できないと判断して、「アナログＮＧフラグ」を「１」にセットしてから（Ｓ８）、Ｓ９の処理に進む。【００４８】
Ｓ９の処理において、マイクロコンピュータ１５は、取得品質情報に含まれる受信強度が、予め設定されたデジタルラジオ放送の受信強度に対する閾値（以下、「デジタル受信強度用閾値」と記す）以上の値であるか否かを判定する。ここで、受信強度がデジタル受信強度用閾値以上と判定されるとき（Ｓ９：ＹＥＳ）、マイクロコンピュータ１５は、受信強度が十分に高くデジタルラジオ放送を受信できるものと判断して、Ｓ１１の処理に進む。また、受信強度がデジタル受信強度用閾値より低いと判定されるときには（Ｓ９：ＮＯ）、マイクロコンピュータ１５は、受信強度が低くデジタルラジオ放送を受信できないと判断して、「デジタルＮＧフラグ」を「１」にセットしてから（Ｓ１０）、Ｓ１１の処理に進む。【００４９】
Ｓ１１の処理において、マイクロコンピュータ１５は、「アナログＮＧフラグ」および「デジタルＮＧフラグ」を参照する。その何れもが「１」であるときには（Ｓ１１：ＹＥＳ）、アナログラジオ放送もデジタルラジオ放送も受信できないと判断して、Ｓ１の処理に復帰し、次にシークされる周波数帯に対して処理を実行する。少なくともその何れか一方が「０」であるときには（Ｓ１１：ＮＯ）、マイクロコンピュータ１５は、少なくとも何れかのラジオ放送を受信できるものと判断して、Ｓ１２の処理に進む。【００５０】
Ｓ１２の処理において、マイクロコンピュータ１５は、取得品質情報に含まれる周波数オフセットがアナログラジオ放送の周波数オフセットに対して設定された範囲（以下、「アナログ周波数オフセット用範囲」と記す）に含まれるか否かを判定する。ここで、アナログ周波数オフセット用範囲内と判定されるとき（Ｓ１２：ＹＥＳ）、マイクロコンピュータ１５は、ノイズの影響が少ないためアナログラジオ放送を受信できるものと判断して、Ｓ１４の処理に進む。また、周波数オフセットがアナログ周波数オフセット用範囲外と判定されるときには（Ｓ１２：ＮＯ）、マイクロコンピュータ１５は、ノイズの影響が多いためアナログラジオ放送を受信できないものと判断して、「アナログＮＧフラグ」を「１」にセットしてから（Ｓ１３）、Ｓ１４の処理に進む。【００５１】
Ｓ１４の処理において、マイクロコンピュータ１５は、取得品質情報に含まれる周波数オフセットがデジタルラジオ放送の周波数オフセットに対して設定された範囲（以下、「デジタル周波数オフセット用範囲」と記す）に含まれるか否かを判定する。ここで、デジタル周波数オフセット用範囲内と判定されるとき（Ｓ１４：ＹＥＳ）、マイクロコンピュータ１５は、ノイズの影響が少なくデジタルラジオ放送を受信できるものと判断して、Ｓ１６の処理に進む。また、周波数オフセットがデジタル周波数オフセット用範囲外と判定されるときには（Ｓ１４：ＮＯ）、マイクロコンピュータ１５は、ノイズの影響が多いためデジタルラジオ放送を受信できないものと判断して、「デジタルＮＧフラグ」を「１」にセットしてから（Ｓ１５）、Ｓ１６の処理に進む。【００５２】
Ｓ１６の処理において、マイクロコンピュータ１５は、Ｓ１１の処理と同様に、「アナログＮＧフラグ」および「デジタルＮＧフラグ」を参照する。その何れもが「１」であるときには（Ｓ１６：ＹＥＳ）、マイクロコンピュータ１５は、アナログラジオ放送もデジタルラジオ放送も受信できないと判断して、Ｓ１の処理に復帰し、次にシークされる周波数帯に対して処理を開始する。少なくともその何れか一方が「０」であるときには（Ｓ１６：ＮＯ）、マイクロコンピュータ１５は、少なくとも何れかのラジオ放送を受信できるものと判断して、Ｓ１７の処理に進む。【００５３】
Ｓ１７の処理において、マイクロコンピュータ１５は、取得品質情報に含まれるＵＳＮが、予め設定されたアナログラジオ放送のＵＳＮに対する閾値（以下、「アナログＵＳＮ用閾値」と記す）未満であるか否かを判定する。ここで、アナログＵＳＮ用閾値未満と判定されるとき（Ｓ１７：ＹＥＳ）、マイクロコンピュータ１５は、隣接妨害の影響が少なくアナログラジオ放送を受信できるものと判断してＳ１９の処理に進む。また、アナログＵＳＮ用閾値以上と判定されるときには（Ｓ１７：ＮＯ）、マイクロコンピュータ１５は、隣接妨害の影響が多いためにアナログラジオ放送を受信できないものと判断して、「アナログＮＧフラグ」を「１」にセットしてから（Ｓ１８）、Ｓ１９の処理に進む。【００５４】
Ｓ１９の処理において、マイクロコンピュータ１５は、取得品質情報に含まれるＵＳＮが、予め設定されたデジタルラジオ放送のＵＳＮ用の閾値（以下、「デジタルＵＳＮ用閾値」と記す）未満であるか否かを判定する。ここで、デジタルＵＳＮ用閾値未満と判定されるとき（Ｓ１９：ＹＥＳ）、マイクロコンピュータ１５は、隣接妨害の影響が少なくデジタルラジオ放送を受信できるものと判断してＳ２１の処理に進む。また、デジタルＵＳＮ用閾値以上と判定されるときには（Ｓ１９：ＮＯ）、マイクロコンピュータ１５は、隣接妨害の影響が多いためにデジタルラジオ放送を受信できないものと判断して、「デジタルＮＧフラグ」を「１」にセットしてから（Ｓ２０）、Ｓ２１の処理に進む。【００５５】
Ｓ２１の処理において、マイクロコンピュータ１５は、Ｓ１１の処理と同様に、「アナログＮＧフラグ」および「デジタルＮＧフラグ」を参照して、その何れもが「１」であるときには（Ｓ２１：ＹＥＳ）アナログラジオ放送もデジタルラジオ放送も受信できないと判断してＳ１の処理に復帰し、次にシークされる周波数帯に対して処理を実行する。少なくともその何れか一方が「０」であるときには（Ｓ２１：ＮＯ）、マイクロコンピュータ１５は、少なくとも何れかのラジオ放送を受信できるものと判断して、Ｓ２２の処理に進む。【００５６】
Ｓ２２の処理において、マイクロコンピュータ１５は、取得品質情報に含まれるＭＰＮが、予め設定されたアナログラジオ放送のＭＰＮ用の閾値（以下、「アナログＭＰＮ用閾値」と記す）未満であるか否かを判定する。ここで、アナログＭＰＮ用閾値未満と判定されるとき（Ｓ２２：ＹＥＳ）、マイクロコンピュータ１５は、マルチパスノイズの影響が少なくアナログラジオ放送を受信できるものと判断してＳ２４の処理に進む。また、アナログＭＰＮ用閾値以上と判定されるときには（Ｓ２２：ＮＯ）、マイクロコンピュータ１５は、マルチパスノイズの影響が多いためにアナログラジオ放送を受信できないものと判断して「アナログＮＧフラグ」を「１」にセットしてから（Ｓ２３）、Ｓ２４の処理に進む。【００５７】
Ｓ２４の処理において、マイクロコンピュータ１５は、取得品質情報に含まれるＭＰＮが、予め設定されたデジタルラジオ放送のＭＰＮ用の閾値（以下、「デジタルＭＰＮ用閾値」と記す）未満であるか否かを判定する。ここで、デジタルＭＰＮ用閾値未満と判定されるとき（Ｓ２４：ＹＥＳ）、マイクロコンピュータ１５は、マルチパスノイズの影響が少なくデジタルラジオ放送を受信できるものと判断してＳ２６の処理に進む。また、デジタルＭＰＮ用閾値以上と判定されるときには（Ｓ２４：ＮＯ）、マイクロコンピュータ１５は、マルチパスノイズの影響が多いためにデジタルラジオ放送を受信できないものと判断して、「デジタルＮＧフラグ」を「１」にセットしてから（Ｓ２５）、Ｓ２６の処理に進む。【００５８】
Ｓ２６の処理において、マイクロコンピュータ１５は、Ｓ１１の処理と同様に、「アナログＮＧフラグ」および「デジタルＮＧフラグ」を参照して、その何れもが「１」であるときには（Ｓ２６：ＹＥＳ）アナログラジオ放送もデジタルラジオ放送も受信できないと判断してＳ１の処理に復帰し、次にシークされる周波数帯に対して処理を実行する。少なくともその何れか一方が「０」であるときには（Ｓ２６：ＮＯ）、マイクロコンピュータ１５は、少なくとも何れかのラジオ放送を受信できるものと判断して、Ｓ２７の処理に進む。【００５９】
Ｓ２７の処理において、マイクロコンピュータ１５はカウント値Ｎを１デクリメントする。次いで、当該カウント値Ｎが「０」が否かを判定する（Ｓ２８）。カウント値Ｎが「０」であると判定されるとき（Ｓ２８：ＹＥＳ）、マイクロコンピュータ１５は、Ｓ５乃至２７の処理をＮ回繰り返したと判断してＳ２９の処理に進む。またカウント値Ｎが「０」でないと判定されるとき（Ｓ２８：ＮＯ）、マイクロコンピュータ１５は、Ｓ５乃至２７の処理をＮ回実行していないと判断して、Ｓ５の処理に復帰する。【００６０】
Ｓ２９の処理において、マイクロコンピュータ１５は、内部メモリに蓄積されたＮ回分の受信強度の平均値を算出する。次いで、算出された受信強度の平均値（以下、「平均受信強度」と記す）が、予め設定されたアナログラジオ放送の平均受信強度用の閾値（以下、「アナログ平均受信強度用閾値」と記す）以上の値であるか否かを判定する。ここで、アナログ平均受信強度用閾値以上と判定されるとき（Ｓ２９：ＹＥＳ）、マイクロコンピュータ１５は、受信強度が継続的に高いためアナログラジオ放送を安定的に受信できるものと判断してＳ３１の処理に進む。また、アナログ平均受信強度用閾値より低いと判定されるときには（Ｓ２９：ＮＯ）、マイクロコンピュータ１５は、受信強度が不安定であるためにアナログラジオ放送を受信できないものと判断して、「アナログＮＧフラグ」を「１」にセットしてから（Ｓ３０）、Ｓ３１の処理に進む。【００６１】
Ｓ３１の処理において、マイクロコンピュータ１５は、平均受信強度が、予め設定されたデジタルラジオ放送の平均受信強度用の閾値（以下、「デジタル平均受信強度用閾値」と記す）以上の値であるか否かを判定する。ここで、デジタル平均受信強度用閾値以上と判定されるとき（Ｓ３１：ＹＥＳ）、マイクロコンピュータ１５は、受信強度が継続的に高いためデジタルラジオ放送を安定的に受信できるものと判断してＳ３３の処理に進む。また、デジタル平均受信強度用閾値より低いと判定されるときには（Ｓ３１：ＮＯ）、マイクロコンピュータ１５は、受信強度が不安定であるためにデジタルラジオ放送を受信できないものと判断して、「デジタルＮＧフラグ」を「１」にセットしてから（Ｓ３２）、Ｓ３３の処理に進む。【００６２】
Ｓ３３の処理において、マイクロコンピュータ１５は、Ｓ１１の処理と同様に、「アナログＮＧフラグ」および「デジタルＮＧフラグ」を参照して、その何れもが「１」であるときには（Ｓ３３：ＹＥＳ）アナログラジオ放送もデジタルラジオ放送も受信できないと判断してＳ１の処理に復帰し、次にシークされる周波数帯に対して処理を実行する。少なくともその何れか一方が「０」であるときには（Ｓ３３：ＮＯ）、マイクロコンピュータ１５は、少なくとも何れかのラジオ放送を受信できるものと判断して、Ｓ３４の処理に進む。【００６３】
Ｓ３４の処理において、マイクロコンピュータ１５は、内部メモリに蓄積されたＮ回分の周波数オフセットの平均値を算出する。次いで、算出された周波数オフセットの平均値（以下、「平均周波数オフセット」と記す）が、アナログラジオ放送の平均周波数オフセット用に設定された範囲（以下、「アナログ平均周波数オフセット用範囲」と記す）に含まれるか否かを判定する。ここで、アナログ平均周波数オフセット用範囲内と判定されるとき（Ｓ３４：ＹＥＳ）、マイクロコンピュータ１５は、ノイズの影響が継続的に少ないことから、アナログラジオ放送を受信できるものと判断してＳ３６の処理に進む。また、アナログ平均周波数オフセット用範囲外と判定されるときには（Ｓ３４：ＮＯ）、マイクロコンピュータ１５は、ノイズの影響が多く受信状態が不安定であることから、アナログラジオ放送を受信できないものと判断して、「アナログＮＧフラグ」を「１」にセットしてから（Ｓ３５）、Ｓ３６の処理に進む。【００６４】
Ｓ３６の処理において、マイクロコンピュータ１５は、平均周波数オフセットが、デジタルラジオ放送の平均周波数オフセット用に設定された範囲（以下、「デジタル平均周波数オフセット用範囲」と記す）に含まれるか否かを判定する。ここで、デジタル平均周波数オフセット用範囲内と判定されるとき（Ｓ３６：ＹＥＳ）、マイクロコンピュータ１５は、ノイズの影響が継続的に少ないことから、デジタルラジオ放送を受信できるものと判断してＳ３８の処理に進む。また、デジタル平均周波数オフセット用範囲外と判定されるときには（Ｓ３６：ＮＯ）、マイクロコンピュータ１５は、ノイズの影響が多く受信状態が不安定であることから、デジタルラジオ放送を受信できないものと判断して、「デジタルＮＧフラグ」を「１」にセットしてから（Ｓ３７）、Ｓ３８の処理に進む。【００６５】
Ｓ３８の処理において、マイクロコンピュータ１５は、Ｓ１１の処理と同様に、「アナログＮＧフラグ」および「デジタルＮＧフラグ」を参照して、その何れもが「１」であるときには（Ｓ３８：ＹＥＳ）アナログラジオ放送もデジタルラジオ放送も受信できないと判断してＳ１の処理に復帰し、次にシークされる周波数帯に対して処理を実行する。少なくともその何れか一方が「０」であるときには（Ｓ３８：ＮＯ）、マイクロコンピュータ１５は、少なくとも何れかのラジオ放送を受信できるものと判断して、Ｓ３９の処理に進む。【００６６】
Ｓ３９の処理において、マイクロコンピュータ１５は、内部メモリに蓄積されたＮ回分のＵＳＮの平均値を算出する。次いで、算出されたＵＳＮの平均値（以下、「平均ＵＳＮ」と記す）が、予め設定されたアナログラジオ放送の平均ＵＳＮ用の閾値（以下、「アナログ平均ＵＳＮ用閾値」と記す）未満であるか否かを判定する。ここで、アナログ平均ＵＳＮ用閾値未満と判定されるとき（Ｓ３９：ＹＥＳ）、マイクロコンピュータ１５は、隣接妨害の影響が継続的に少ないことから、アナログラジオ放送を受信できるものと判断してＳ４１の処理に進む。また、アナログ平均ＵＳＮ用閾値以上と判定されるときには（Ｓ３９：ＮＯ）、マイクロコンピュータ１５は、隣接妨害の影響が多く受信状態が不安定であることから、アナログラジオ放送を受信できないものと判断して、「アナログＮＧフラグ」を「１」にセットしてから（Ｓ４０）、Ｓ４１の処理に進む。【００６７】
Ｓ４１の処理において、マイクロコンピュータ１５は、平均ＵＳＮが、予め設定されたデジタルラジオ放送の平均ＵＳＮ用の閾値（以下、「デジタル平均ＵＳＮ用閾値」と記す）未満であるか否かを判定する。ここで、デジタル平均ＵＳＮ用閾値未満と判定されるとき（Ｓ４１：ＹＥＳ）、マイクロコンピュータ１５は、隣接妨害の影響が継続的に少ないことから、デジタルラジオ放送を受信できるものと判断してＳ４３の処理に進む。また、デジタル平均ＵＳＮ用閾値以上と判定されるときには（Ｓ４１：ＮＯ）、マイクロコンピュータ１５は、隣接妨害の影響が多く受信状態が不安定であることから、デジタルラジオ放送を受信できないものと判断して、「デジタルＮＧフラグ」を「１」にセットしてから（Ｓ４２）、Ｓ４３の処理に進む。【００６８】
Ｓ４３の処理において、マイクロコンピュータ１５は、Ｓ１１の処理と同様に、「アナログＮＧフラグ」および「デジタルＮＧフラグ」を参照して、その何れもが「１」であるときには（Ｓ４３：ＹＥＳ）アナログラジオ放送もデジタルラジオ放送も受信できないと判断してＳ１の処理に復帰し、次にシークされる周波数帯に対して処理を実行する。少なくともその何れか一方が「０」であるときには（Ｓ４３：ＮＯ）、マイクロコンピュータ１５は、少なくとも何れかのラジオ放送を受信できるものと判断して、Ｓ４４の処理に進む。【００６９】
Ｓ４４の処理において、マイクロコンピュータ１５は、内部メモリに蓄積されたＮ回分のＭＰＮの平均値を算出する。次いで、算出されたＭＰＮの平均値（以下、「平均ＭＰＮ」と記す）が、予め設定されたアナログラジオ放送の平均ＭＰＮ用の閾値（以下、「アナログ平均ＭＰＮ用閾値」と記す）未満であるか否かを判定する。ここで、アナログ平均ＭＰＮ用閾値未満と判定されるとき（Ｓ４４：ＹＥＳ）、マイクロコンピュータ１５は、マルチパスノイズの影響が継続的に少ないことから、アナログラジオ放送を受信できるものと判断してＳ４６の処理に進む。また、アナログ平均ＭＰＮ用閾値以上と判定されるときには（Ｓ４４：ＮＯ）、マルチパスノイズの影響が多く受信状態が不安定であることから、マイクロコンピュータ１５は、アナログラジオ放送を受信できないものと判断して、「アナログＮＧフラグ」を「１」にセットしてから（Ｓ４５）、Ｓ４６の処理に進む。【００７０】
Ｓ４６の処理において、マイクロコンピュータ１５は、平均ＭＰＮが、予め設定されたデジタルラジオ放送の平均ＭＰＮ用の閾値（以下、「デジタル平均ＭＰＮ用閾値」と記す）未満であるか否かを判定する。ここで、デジタル平均ＭＰＮ用閾値未満と判定されるとき（Ｓ４６：ＹＥＳ）、マイクロコンピュータ１５は、マルチパスノイズの影響が継続的に少ないことから、デジタルラジオ放送を受信できるものと判断してＳ４８の処理に進む。また、デジタル平均ＭＰＮ用閾値以上と判定されるときには（Ｓ４６：ＮＯ）、マイクロコンピュータ１５は、マルチパスノイズの影響が多く受信状態が不安定であることから、デジタルラジオ放送を受信できないものと判断して、「デジタルＮＧフラグ」を「１」にセットしてから（Ｓ４７）、Ｓ４８の処理に進む。【００７１】
Ｓ４８の処理において、マイクロコンピュータ１５は、Ｓ１１の処理と同様に、「アナログＮＧフラグ」および「デジタルＮＧフラグ」を参照して、その何れもが「１」であるときには（Ｓ４８：ＹＥＳ）アナログラジオ放送もデジタルラジオ放送も受信できないと判断してＳ１の処理に復帰し、次にシークされる周波数帯に対して処理を実行する。少なくともその何れか一方が「０」であるときには（Ｓ４８：ＮＯ）、マイクロコンピュータ１５は、少なくとも何れかのラジオ放送を受信できるものと判断して、Ｓ５０の処理に進む。【００７２】
Ｓ５０の処理において、マイクロコンピュータ１５はカウント値Ｍを１デクリメントする。次いで、当該カウント値Ｍが「０」が否かを判定する（Ｓ５１）。カウント値Ｍが「０」であると判定されるとき（Ｓ５１：ＹＥＳ）、マイクロコンピュータ１５は、Ｓ４乃至５０の処理をＭ回繰り返した結果、シークされた周波数帯が有局であると判断してＳ５２の処理に進む。またカウント値Ｍが「０」でないと判定されるとき（Ｓ５１：ＮＯ）、マイクロコンピュータ１５は、Ｓ４乃至５０の処理をＭ回実行していないと判断して、内部メモリに蓄積された取得品質情報、および品質情報の各平均値（平均受信強度、平均周波数オフセット、平均ＵＳＮ、平均ＭＰＮ）を消去して（Ｓ４９）、Ｓ４の処理に復帰する。【００７３】
Ｓ５２の処理において、マイクロコンピュータ１５は、「アナログＮＧフラグ」が「０」が否かを判定する。そして「アナログＮＧフラグ」が「０」であるとき（Ｓ５２：ＹＥＳ）、マイクロコンピュータ１５は、シークされた周波数帯がアナログラジオ放送又はハイブリッド放送（すなわちアナログおよびデジタル形式の両ラジオ放送を含むもの）であると判断する。附言するに、当該周波数帯にはアナログラジオ放送が確実に含まれているものと判断する。次いで、当該周波数帯を選局した状態でチャネルシーク動作を停止する（すなわち本フローチャートを終了させる）。これにより、当該選局チャネルのアナログラジオ放送がスピーカ１３で出力再生されることになる。また所定のユーザ・オペレーションを行うことにより、当該選局チャネルのデジタルラジオ放送に切り替えることも可能である。【００７４】
またＳ５２の処理において、マイクロコンピュータ１５は、「アナログＮＧフラグ」が「０」でない（すなわち「デジタルＮＧフラグ」が「０」である）と判定したとき（Ｓ５２：ＮＯ）、「最大周波数オフセット」と「最小周波数オフセット」の差分Ａを算出する。次いで、マイクロコンピュータ１５は、算出された差分Ａが所定の閾値Ｂ以上か否かを判定する（Ｓ５３）。【００７５】
Ｓ５３の処理において、マイクロコンピュータ１５は、差分Ａが閾値Ｂ未満であると判定したとき（Ｓ５３：ＮＯ）、マイクロコンピュータ１５は、シークされた周波数帯が極めて微弱なアナログラジオ放送又は何れのラジオ放送も含まないと判断して、Ｓ１の処理に復帰し、次にシークされる周波数帯に対して処理を実行する。【００７６】
またＳ５３の処理において、マイクロコンピュータ１５は、差分Ａが閾値Ｂ以上であると判定したとき（Ｓ５３：ＹＥＳ）、シークされた周波数帯が極めて高い確率でデジタルラジオ放送のみを含むチャネルであると判断する。次いで、ＩＤＭ１６を制御してデコード処理を実行させる。このデコード処理でＩＢＯＣ信号（すなわちデジタルラジオ放送であることを示す識別情報）が取得されると（Ｓ５４：ＹＥＳ）、マイクロコンピュータ１５は、シークされた周波数帯がデジタルラジオ放送のみを含むチャネルであると確定する。そして当該周波数帯を選局した状態でチャネルシーク動作を停止する（すなわち本フローチャートを終了させる）。これにより、当該選局チャネルのデジタルラジオ放送がスピーカ１３で出力再生されることになる。なお上記デコード処理でＩＢＯＣ信号が取得されない場合には（Ｓ５４：ＮＯ）、マイクロコンピュータ１５は、シークされた周波数帯が何れのラジオ放送も含まないと判断してＳ１の処理に復帰し、次にシークされる周波数帯に対して処理を実行する。【００７７】
すなわち本実施形態のオーディオ装置１００によれば、シークされた周波数帯の品質情報を用いて判定処理を行い、極めて高い確率でデジタルラジオ放送と判断されたものに対してのみＩＤＭ１６によるデコード処理を実行させる。このためチャネルシーク動作を高い精度で実行することができると共に、ＩＤＭ１６によるデコード処理が無駄に実行されることがなくなる。この結果、当該チャネルシーク動作に掛かる時間を削減することが可能となる。附言するに、周波数オフセット（「最大周波数オフセット」および「最小周波数オフセット」）を取得して所定の判定処理に用いることにより、有局と判断された周波数帯がデジタルラジオ放送のみを含むチャネルであるかノイズ等であるかを判断することも可能としている。【００７８】
以上が本発明の実施の形態である。本発明はこれらの実施の形態に限定されるものではなく様々な範囲で変形が可能である。例えば本実施形態のＩＢＯＣ放送受信機を具備したオーディオ装置１００は車載されたものであるが、別の実施の形態では人が携帯するような機器であっても良い。
【図１】
2008026694.tif 000003
【図２】
2008026694.tif 000004
【図３】
2008026694.tif 000005
【図４】
2008026694.tif 000006
【図５】
2008026694.tif 000007
【図６】
2008026694.tif 000008
【国際調査報告】
2008026694.tif 000009
2008026694.tif 000010